(57)【特許請求の範囲】
【請求項１】
扉に内蔵される錠箱と、
前記扉の一方の面に形成した取付穴から挿入され前記錠箱に嵌挿される第１操作部材、及び前記扉の他方の面に形成した取付穴から挿入され前記錠箱に嵌挿される第２操作部材と、
該第１操作部材及び該第２操作部材のそれぞれの錠箱嵌挿先端部の外周に設けられ前記取付穴の中心軸を挟みかつ前記扉の端面と平行な面に配置される一対の固定孔と、
前記扉の端面側から前記錠箱の端面を貫通してそれぞれの前記固定孔に挿入されるセットピンと、を備え、
前記第１操作部材の固定孔に挿入される一対のセットピンと、前記第２操作部材の固定孔に挿入される一対のセットピンのそれぞれが前記端面と平行な２つの連結板によって連結され、
前記セットピンの挿入方向と同方向でブラケットを介して回動自在に前記錠箱に支持され頭部が前記扉の端面に配置されるとともに、ネジ部が前記連結板に螺合される挿抜ネジを備えたことを特徴とする錠箱と操作部材の取付構造。
【請求項２】
扉に内蔵される錠箱と、
前記扉の一方の面に形成した取付穴から挿入され前記錠箱に嵌挿される第１操作部材、及び前記扉の他方の面に形成した取付穴から挿入され前記錠箱に嵌挿される第２操作部材と、
該第１操作部材及び該第２操作部材のそれぞれの錠箱嵌挿先端部の外周に設けられ前記取付穴の中心軸を挟みかつ前記扉の端面と平行な面に配置される一対の固定孔と、
前記扉の端面側から前記錠箱の端面を貫通してそれぞれの前記固定孔に挿入されるセットピンと、を備え、
前記第１操作部材の固定孔に挿入される一対のセットピンと、前記第２操作部材の固定孔に挿入される一対のセットピンとが、前記端面と平行な一つの連結板によって連結され、
前記セットピンの挿入方向と同方向でブラケットを介して回動自在に前記錠箱に支持され頭部が前記扉の端面に配置されるとともに、ネジ部が前記連結板に螺合される挿抜ネジを備えたことを特徴とする錠箱と操作部材の取付構造。
【請求項３】
前記固定孔の前記セットピン挿入側と反対側となる錠箱内面部には、揺動によって揺動先端を前記固定孔に進入させる揺動ピンが回動自在に設けられ、
前記連結板には、前記セットピンの前記固定孔への進入と同時に、該揺動ピンの揺動基端に当接開始して該揺動ピンを揺動させる押圧杆が設けられたことを特徴とする請求項１又は２に記載の錠箱と操作部材の取付構造。
【請求項４】
第１操作部材の固定孔に挿入される一対のセットピンと、前記第２操作部材の固定孔に挿入される一対のセットピンとが、異なる長さであることを特徴とする請求項１，２，３のいずれか１つに記載の錠箱と操作部材の取付構造。
【発明の詳細な説明】
【技術分野】
【０００１】
本発明は、扉に内蔵される錠箱に対して操作部材である例えばシリンダーユニットやサムターンユニットを取り付けるための錠箱と操作部材の取付構造に関する。
【背景技術】
【０００２】
扉に設けられる錠装置は、一般的に扉に錠箱が内蔵され、この錠箱には、扉の室外側に露出するシリンダー錠と、扉の室内側に露出するサムターンとが設けられている。錠箱には、ロック部材である例えばデッドボルトが扉の端面（木口）から進退自在に設けられている。この種の施錠装置では、室外側に露出されたシリンダー錠の鍵孔に、合鍵（キー）を挿入して回転操作することにより、扉の木口よりデッドボルトが進退されて、扉枠側に対して施解錠が行われるようになっている。また、室内側からは、サムターンの摘みが回転操作されるのみで、デッドボルトが進退され、扉の施解錠が簡便に行われるようになっている。
【０００３】
ここで、シリンダー錠やサムターンは、防犯性を高める意味でも錠箱に確実に固定される必要がある。従来、この種の取付構造では、扉の一方の面（室外側の面）に形成した取付穴からシリンダー錠を挿入するとともに、扉の他方の面（室内側の面）に形成した取付穴からサムターンを挿入し、これらシリンダー錠及びサムターンのそれぞれの錠箱嵌挿先端部の外周に設けられる一対の固定孔に、扉の端面側から錠箱の端面を貫通して、それぞれの固定孔にセットピンを挿入することで、錠箱に対しシリンダー錠、サムターン等の操作部材を固定していた。
【発明の開示】
【発明が解決しようとする課題】
【０００４】
しかしながら、従来の錠箱と操作部材の取付構造は、４本のセットピンを１本ずつそれぞれ挿入して行っていたため、錠箱に対する操作部材の組付け作業時、或いはシリンダー錠のみの交換時においても、一つの操作部材に対して２本のセットピンを抜脱・挿入しなければならず、一つの操作部材を交換する場合でも４回のセットピンの挿脱が必要となり、取り付け作業が煩雑かつ長時間となった。
【０００５】
本発明は上記状況に鑑みてなされたもので、４本のセットピンを１本ずつそれぞれ挿入して操作部材を固定する必要のない錠箱と操作部材の取付構造を提供し、もって、操作部材の容易な取り付け、及び短時間での取り付けを可能とすることを目的とする。
【課題を解決するための手段】
【０００６】
次に、上記の課題を解決するための手段を、実施の形態に対応する図面を参照して説明する。
本発明の請求項１記載の錠箱と操作部材の取付構造は、扉に内蔵される錠箱１１と、
前記扉の一方の面に形成した取付穴２７から挿入され前記錠箱１１に嵌挿される第１操作部材１３、及び前記扉の他方の面に形成した取付穴２７から挿入され前記錠箱１１に嵌挿される第２操作部材１５と、
該第１操作部材１３及び該第２操作部材１５のそれぞれの錠箱嵌挿先端部の外周に設けられ前記取付穴２７の中心軸を挟みかつ前記扉の端面と平行な面に配置される一対の固定孔１３ｃ，１３ｃ，１５ｃ，１５ｃと、
前記扉の端面側から前記錠箱１１の端面を貫通してそれぞれの前記固定孔１３ｃ，１３ｃ，１５ｃ，１５ｃに挿入されるセットピン１７と、を備え、
前記第１操作部材１３の固定孔１３ｃ，１３ｃに挿入される一対のセットピン１７と、前記第２操作部材１５の固定孔１５ｃ，１５ｃに挿入される一対のセットピン１７のそれぞれが前記端面と平行な２つの連結板１９Ａ，１９Ａによって連結され、
前記セットピン１７の挿入方向と同方向でブラケット２１を介して回動自在に前記錠箱１１に支持され頭部２３ａが前記扉の端面に配置されるとともに、ネジ部２３ｂが前記連結板１９に螺合される挿抜ネジ２３を備えたことを特徴とする。
【０００７】
この錠箱と操作部材の取付構造では、扉の一方の面の取付穴２７から挿入した第１操作部材１３に対し、扉の端面から錠箱１１の端面を貫通させて一対のセットピン１７を挿入することで、当該セットピン１７を第１操作部材１３の固定孔１３ｃ，１３ｃに挿入して第１操作部材１３を離脱不能に固定することができる。また、扉の他方の面の取付穴２７から挿入した第２操作部材１５に対し、扉の端面から錠箱１１の端面を貫通させて一対のセットピン１７を挿入することで、当該セットピン１７を第２操作部材１５の固定孔１５ｃ，１５ｃに挿入して第２操作部材１５を離脱不能に固定することができる。そして、扉の端面に表出する挿抜ネジ２３の頭部２３ａをドライバ等の工具等で回転することで、連結板１９を押圧して、複数のセットピン１７ａ，１７ａ，１７ｂ，１７ｂが同時に固定孔１３ｃ，１３ｃ，１５ｃ，１５ｃへ押し込まれる。
【０００８】
請求項２記載の錠箱と操作部材の取付構造は、扉に内蔵される錠箱１１と、
前記扉の一方の面に形成した取付穴２７から挿入され前記錠箱１１に嵌挿される第１操作部材１３、及び前記扉の他方の面に形成した取付穴２７から挿入され前記錠箱１１に嵌挿される第２操作部材１５と、
該第１操作部材１３及び該第２操作部材１５のそれぞれの錠箱嵌挿先端部の外周に設けられ前記取付穴２７の中心軸を挟みかつ前記扉の端面と平行な面に配置される一対の固定孔１３ｃ，１３ｃ，１５ｃ，１５ｃと、
前記扉の端面側から前記錠箱１１の端面を貫通してそれぞれの前記固定孔１３ｃ，１３ｃ，１５ｃ，１５ｃに挿入されるセットピン１７ａ，１７ａ，１７ｂ，１７ｂと、を備え、
前記第１操作部材１３の固定孔１３ｃ，１３ｃに挿入される一対のセットピン１７ａ，１７ａと、前記第２操作部材１５の固定孔１５ｃ，１５ｃに挿入される一対のセットピン１７ｂ，１７ｂとが、前記端面と平行な一つの連結板１９によって連結され、
前記セットピン１７の挿入方向と同方向でブラケット２１を介して回動自在に前記錠箱１１に支持され頭部２３ａが前記扉の端面に配置されるとともに、ネジ部２３ｂが前記連結板１９に螺合される挿抜ネジ２３を備えたことを特徴とする。
【０００９】
この錠箱と操作部材の取付構造では、扉の一方の面の取付穴２７から第１操作部材１３を挿入するとともに、扉の他方の面の取付穴２７から第２操作部材扉１５を挿入し、扉の端面から錠箱１１の端面を貫通させて一つの連結板１９に設けられた二対のセットピン１７ａ，１７ａ，１７ｂ，１７ｂを挿入することで、当該セットピン１７を第１操作部材１３及び第２操作部材１５の固定孔１３ｃ，１３ｃ，１５ｃ，１５ｃに一度に挿入して第１操作部材１３及び第２操作部材１５を離脱不能に固定することができる。そして、扉の端面に表出する挿抜ネジ２３の頭部２３ａをドライバ等の工具等で回転することで、連結板１９を押圧して、複数のセットピン１７ａ，１７ａ，１７ｂ，１７ｂが同時に固定孔１３ｃ，１３ｃ，１５ｃ，１５ｃへ押し込まれる。
【００１２】
請求項３記載の錠箱と操作部材の取付構造は、前記固定孔１３ｃ，１３ｃ，１５ｃ，１５ｃの前記セットピン挿入側と反対側となる錠箱内面部には、揺動によって揺動先端４１ａを前記固定孔１３ｃ，１３ｃ，１５ｃ，１５ｃに進入させる揺動ピン４１が回動自在に設けられ、
前記連結板１９には、前記セットピン１７ａ，１７ａ，１７ｂ，１７ｂ、の前記固定孔１３ｃ，１３ｃ，１５ｃ，１５ｃへの進入と同時に、該揺動ピン４１の揺動基端４１ｃに当接開始して該揺動ピン４１を揺動させる押圧杆４３が設けられたことを特徴とする。
【００１３】
この錠箱と操作部材の取付構造では、セットピン１７ａ，１７ａ，１７ｂ，１７ｂが固定孔１３ｃ，１３ｃ，１５ｃ，１５ｃへ進入すると同時に、押圧杆４３が揺動ピン４１の揺動基端４１ｃを押圧開始し、固定孔１３ｃ，１３ｃ，１５ｃ，１５ｃには、両側からセットピン１７ａ，１７ａ，１７ｂ，１７ｂと揺動ピン４１とが挿入されることになる。
【００１４】
請求項４記載の錠箱と操作部材の取付構造は、第１操作部材１３の固定孔１３ｃ，１３ｃに挿入される一対のセットピン１７ａ，１７ａと、前記第２操作部材１５の固定孔１５ｃ，１５ｃに挿入される一対のセットピン１７ｂ，１７ｂとが、異なる長さであることを特徴とする。
【００１５】
この錠箱と操作部材の取付構造では、長いセットピン１７ｂ，１７ｂが一方の操作部材１５に挿入された後、短いセットピン１７ａ，１７ａが他方の操作部材１３に挿入可能となる。このことから、一方の操作部材１５を先に取り付け、他方の操作部材１３をその後に取り付けることが可能となる。
【発明の効果】
【００１６】
本発明に係る請求項１記載の錠箱と操作部材の取付構造によれば、第１操作部材の固定孔に挿入される一対のセットピンと、第２操作部材の固定孔に挿入される一対のセットピンのそれぞれを、端面と平行な２つの連結板によって連結したので、扉の一方の面の取付穴から挿入した第１操作部材に対し、扉の端面から錠箱の端面を貫通させて一対のセットピンを挿入することで、当該セットピンを第１操作部材の固定孔に挿入して第１操作部材を離脱不能に固定することができる。また、扉の他方の面の取付穴から挿入した第２操作部材に対し、扉の端面から錠箱の端面を貫通させて一対のセットピンを挿入することで、当該セットピンを第２操作部材の固定孔に挿入して第２操作部材を離脱不能に固定することができる。したがって、従来、４本のセットピンを１本ずつそれぞれ挿入して行っていた操作部材の固定を、一度に複数本を同時挿入して、２回のピン挿入作業で完了させることができる。この結果、操作部材の取り付けを、容易な作業で、かつ短時間で行うことができる。そして、セットピンの挿入方向と同方向でブラケットを介して回動自在に錠箱に支持され頭部が扉の端面に配置されるとともに、ネジ部が連結板に螺合される挿抜ネジを備えたので、扉の端面に表出する挿抜ネジの頭部をドライバ等で回転することで、連結板を押圧して、複数のセットピンを同時に固定孔へ押し込むことができる。
【００１７】
請求項２記載の錠箱と操作部材の取付構造によれば、第１操作部材の固定孔に挿入される一対のセットピンと、第２操作部材の固定孔に挿入される一対のセットピンとを、端面と平行な一つの連結板によって連結したので、扉の一方の面の取付穴から第１操作部材を挿入するとともに、扉の他方の面の取付穴から第２操作部材扉を挿入し、扉の端面から錠箱の端面を貫通させて一つの連結板に設けられた二対のセットピンを挿入することで、当該セットピンを第１操作部材及び第２操作部材の固定孔に一度に挿入して第１操作部材及び第２操作部材を離脱不能に固定することができる。したがって、従来、４本のセットピンを１本ずつそれぞれ挿入して行っていた操作部材の固定を、一度に複数本を同時挿入して、１回のピン挿入作業で完了させることができる。この結果、操作部材の取り付けを、容易な作業で、かつ短時間で行うことができる。そして、セットピンの挿入方向と同方向でブラケットを介して回動自在に錠箱に支持され頭部が扉の端面に配置されるとともに、ネジ部が連結板に螺合される挿抜ネジを備えたので、扉の端面に表出する挿抜ネジの頭部をドライバ等で回転することで、連結板を押圧して、複数のセットピンを同時に固定孔へ押し込むことができる。
【００１９】
請求項３記載の錠箱と操作部材の取付構造によれば、固定孔のセットピン挿入側と反対側となる錠箱内面部に、揺動によって揺動先端を固定孔に進入させる揺動ピンを回動自在に設け、連結板には、セットピンの固定孔への進入と同時に、揺動ピンの揺動基端に当接開始して揺動ピンを揺動させる押圧杆を設けたので、セットピンが固定孔へ進入すると同時に、押圧杆が揺動ピンの揺動基端を押圧開始し、固定孔には、両側からセットピンと揺動ピンとが挿入されることになる。これにより、固定孔が両端から挿入される別々のピンによって固定され、一端側から挿入されるセットピンのみによる固定より高い固定強度を得、操作部材をより確実に固定することができる。
【００２０】
請求項４記載の錠箱と操作部材の取付構造によれば、第１操作部材の固定孔に挿入される一対のセットピンと、第２操作部材の固定孔に挿入される一対のセットピンとが、異なる長さであるので、長いセットピンを一方の操作部材に挿入した後、短いセットピンを他方の操作部材に挿入でき、扉を挟んで同時に２つの操作部材を手で押さえ持つ必要がなく、作業性を向上させることができる。
【発明を実施するための最良の形態】
【００２１】
以下、本発明に係る錠箱と操作部材の取付構造の好適な実施の形態を図面を参照して詳細に説明する。
図１は本発明に係る錠箱と操作部材の取付構造の第１の実施の形態を表す分解斜視図である。
本実施の形態による錠箱と操作部材の取付構造は、錠箱１１と、第１操作部材であるシリンダー錠１３と、第２操作部材であるサムターン１５と、セットピン１７と、連結板１９と、ブラケット２１と、挿抜ネジ２３とを基本構成部材として有している。
【００２２】
錠箱１１は、不図示の扉に内蔵され、ラッチボルト、デッドボルト、及びこれらを扉の木口から進退させる錠箱機構部を内設している。錠箱１１のデッドボルトは、扉の一方の面（室外側の面）に設けたシリンダー錠１３を合鍵（キー）によって、又は扉の他方の面（室内側の面）に設けたサムターン１５の摘みを回動することによって扉の端面（例えば木口）から進退可能となっている。なお、本実施の形態では、扉の端面が鉛直方向に延在する木口である場合を例に説明するが、端面はこの他、扉の上端面や下端面であってもよく、また、後述する錠箱１１の前壁２５ｃがこれら端面に向いた状態に限定されるものではない。
【００２３】
錠箱１１は、例えば板金材によって、側壁２５ａ，２５ｂ、前壁２５ｃ、上壁２５ｄ、下壁２５ｅ（図２参照）、後壁２５ｆ（図２参照）によって略箱状に形成される。錠箱１１は、扉に形成された収容空間内に内蔵され、扉の木口から前壁２５ｃが所定寸法後退した位置で取り付けられる。つまり、扉の木口と、前壁２５ｃとの間にはブラケット２１が配置可能な間隙が形成される。このブラケット２１は、扉の木口に取り付けられる図示しないフロント板によって覆われる。
【００２４】
側壁２５ａ，２５ｂのそれぞれには取付穴２７、２７が穿設され、それぞれの取付穴２７、２７にはシリンダー錠１３、サムターン１５とが嵌り合って挿入される。シリンダー錠１３、サムターン１５のそれぞれの外筒１３ａ，１５ａの錠箱嵌挿先端部上下には突起１３ｂ，１３ｂ，１５ｂ，１５ｂが突設される。取付穴２７には突起１３ｂ，１３ｂ，１５ｂ，１５ｂの嵌る切欠２９が形成されている。これらの突起１３ｂ，１３ｂ，１５ｂ，１５ｂには、取付穴２７の中心軸を挟みかつ扉の木口と平行な面に配置される一対の固定孔１３ｃ，１３ｃ，１５ｃ，１５ｃが穿設されている。
【００２５】
錠箱１１の前壁２５ｃには四角形の隅部に配置される４つの貫通孔３１が穿設されている。このそれぞれの貫通孔３１には、セットピン１７が挿入される。セットピン１７は、取付穴２７に嵌挿されたシリンダー錠１３の固定孔１３ｃ，１３ｃに挿入される一対のセットピン１７ａ，１７ａと、取付穴２７に嵌挿されたサムターン１５の固定孔１５ｃ，１５ｃに挿入される一対のセットピン１７ｂ，１７ｂとからなる。
【００２６】
これら二対のセットピン１７ａ，１７ａ、セットピン１７ｂ，１７ｂは、錠箱１１の端面、すなわち、前壁２５ｃと平行な一つの連結板１９によって連結されている。つまり、セットピン１７は、この連結板１９が錠箱１１側へ押圧されることにより、錠箱１１の前壁２５ｃを貫通してそれぞれの固定孔１３ｃ，１３ｃ，１５ｃ，１５ｃに挿入されるようになっている。
【００２７】
側壁２５ａ，２５ｂの内部にはそれぞれの切欠２９を挟んで固定板３２、３２が突設されている。固定板３２、３２は、例えば切欠２９を切り起こして形成される。この固定板３２、３２にはセットピン１７の貫通する孔３２ａが穿設されている。つまり、突起１３ｂ，１３ｂ，１５ｂ，１５ｂは、固定板３２、３２に挟持されながら、セットピン１７に貫通固定される。
【００２８】
このように、シリンダー錠１３の固定孔１３ｃ，１３ｃに挿入される一対のセットピン１７ａ，１７ａと、サムターン１５の固定孔１５ｃ，１５ｃに挿入される一対のセットピン１７ｂ，１７ｂとを、前壁２５ｃと平行な一つの連結板１９によって連結したので、セットピン１７ａ，１７ａ、セットピン１７ｂ，１７ｂを固定孔１３ｃ，１３ｃ，１５ｃ，１５ｃに一度に挿入して、シリンダー錠１３、サムターン１５を離脱不能に固定することができる。したがって、従来、４本のセットピンを１本ずつそれぞれ挿入して行っていたシリンダー錠１３、サムターン１５の固定を、一度に複数本を同時挿入して、１回のピン挿入作業で完了させることができる。この結果、シリンダー錠１３、サムターン１５の取り付けを、容易な作業で、かつ短時間で行うことができる。
【００２９】
また、シリンダー錠１３の固定孔１３ｃ，１３ｃに挿入されるセットピン１７ａ，１７ａと、サムターン１５の固定孔１５ｃ，１５ｃに挿入されるセットピン１７ｂ，１７ｂとは、全長差ｄを有する異なる長さで形成されている。これにより、長いセットピン１７ｂ，１７ｂを一方の操作部材であるサムターン１５に挿入した後、短いセットピン１７ａ，１７ａを他方の操作部材であるシリンダー錠１３に挿入でき、扉を挟んで同時に２つの操作部材を手で押さえ持つ必要がなく、作業性を向上させることができるようになっている。
【００３０】
また、本実施の形態のように、シリンダー錠１３に挿入されるセットピン１７ａ，１７ａを、サムターン１５に挿入されるセットピン１７ｂ，１７ｂより短く構成しておくことにより、交換頻度の低いサムターン１５を貫通支持しながら、交換頻度の高いシリンダー錠１３のみを交換することが可能となる。
【００３１】
前壁２５ｃの上部には横長のスリット孔３５が形成される。ブラケット２１は、前壁２５ｃと平行な基板部２１ａと、基板部２１ａの上下端から前壁２５ｃに垂直に垂下する脚部２１ｂ，２１ｃと、それぞれの脚部２１ｂ，２１ｃの先端で折り曲げられた係合部２１ｄ、螺着部２１ｅとからなる。そして、基板部２１ａには挿抜ネジ２３を回動自在に支持する支持穴２１ｆ（図２参照）が穿設されている。また、挿抜ネジ２３は、頭部２３ａが扉の端面、或いは端面よりやや奥まった位置に配置されるとともに、ネジ部２３ｂが連結板１９のネジ孔１９ａに螺合される。挿抜ネジ２３の頭部２３ａには例えばプラスドライバ等の工具等によって係合回転が可能となる例えば十字孔２３ｃが形成されている。
【００３２】
ブラケット２１は、係合部２１ｄをスリット孔３５へ挿入し、螺着部２１ｅがネジ３７によって前壁２５ｃへ螺着されることで錠箱１１に固定される。この状態で、挿抜ネジ２３のネジ部２３ｂには連結板１９のネジ孔１９ａが螺合されている。つまり、挿抜ネジ２３の頭部２３ａをドライバ等で回転することで、連結板１９を押圧して、複数のセットピン１７を同時に固定孔１３ｃ，１３ｃ，１５ｃ，１５ｃへ押し込むことができるようになっている。
【００３３】
次に、このように構成される錠箱と操作部材の取付構造の作用を説明する。
図２は図１に示した取付構造の作動状態を（ａ）（ｂ）で表した動作説明図である。
錠箱１１や各操作部材１３，１５は、扉に対して取り付けられる際は、施工現場にて行われる。なお、錠箱１１と操作部材１３，１５の取り付けを工場の製造工程にて行うこととし、出荷される工程としてもよい。
まず、ブラケット２１に支持させた挿抜ネジ２３に連結板１９を螺着し、セットピン１７を予めブラケット２１に保持させておく。この状態で、図２（ａ）に示すように、セットピン１７を錠箱１１の貫通孔３１に一致させながら、ブラケット２１の係合部２１ｄをスリット孔３５に差し入れ、螺着部２１ｅをネジ３７によって錠箱１１へ固定する。この状態を予め扉に取り付けた状態としてもよく、施工現場にて扉へ取り付けることとしてもよい。
【００３４】
次いで、先ず最初にサムターン１５を取付穴２７へ挿入し、挿抜ネジ２３を回転して行く。そして、挿抜ネジ２３の回転によって連結板１９が押圧され、図２（ｂ）に示すように、セットピン１７ｂ，１７ｂが固定板３２を貫通して固定孔１５ｃ，１５ｃへ進入すると、サムターン１５の脱落が規制される。サムターン１５の脱落が規制されたなら、次いで、取付穴２７へシリンダー錠１３を挿入し、さらに挿抜ネジ２３を回転して行く。これにより、セットピン１７ｂ，１７ｂが固定板３２、３２と突起１５ｂ，１５ｂに貫通した後、固定板３２、３２と突起１３ｂ，１３ｂを貫通して、サムターン１５及びシリンダー錠１３の取り付け固定が完了する。このようにして操作部材の取り付けが完了した扉には、フロント板が木口に取り付けられ、ブラケット２１、挿抜ネジ２３は覆われることとなる。
【００３５】
また、例えば、シリンダー錠１３に交換が生じた場合には、扉木口よりフロント板が外され、挿抜ネジ２３が逆方向に回転される。すると、最初に、セットピン１７ａ，１７ａがシリンダー錠１３の突起１３ｂ，１３ｂから抜け、シリンダー錠１３のみが取り外し可能となる。この状態で、新たなシリンダー錠１３を取付穴２７へ挿入し、再び挿抜ネジ２３を回転することにより、新たなシリンダー錠１３の交換取り付け固定が完了する。なお、この一連の交換作業中においても、サムターン１５はセットピン１７ｂ，１７ｂに保持されたままとなる。
【００３６】
したがって、この錠箱と操作部材の取付構造によれば、シリンダー錠１３の固定孔１３ｃ，１３ｃに挿入される一対のセットピン１７ａ，１７ａと、サムターン１５の固定孔１５ｃ，１５ｃに挿入される一対のセットピン１７ｂ，１７ｂのそれぞれを、端面と平行な一つの連結板１９によって連結したので、扉の一方の面の取付穴２７からシリンダー錠１３を挿入するとともに、扉の他方の面の取付穴２７からサムターン１５を挿入し、扉の端面から錠箱１１の前壁２５ｃを貫通させて一つの連結板１９に設けられた二対のセットピン１７ａ，１７ａ、セットピン１７ｂ，１７ｂを挿入することで、当該セットピン１７をシリンダー錠１３、サムターン１５の固定孔１３ｃ，１３ｃ，１５ｃ，１５ｃに一度に挿入してシリンダー錠１３及びサムターン１５を離脱不能に固定することができる。したがって、従来、４本のセットピンを１本ずつそれぞれ挿入して行っていた操作部材の固定を、一度に複数本を同時挿入して、１回のピン挿入作業で完了させることができる。この結果、シリンダー錠１３やサムターン１５である操作部材の取り付けを、容易な作業で、かつ短時間で行うことができる。
【００３７】
次に、本発明に係る錠箱と操作部材の取付構造の第２の実施の形態を説明する。
図３は本発明に係る錠箱と操作部材の取付構造の第２の実施の形態を（ａ）（ｂ）の作動状態で表す動作説明図である。
この実施の形態による錠箱と操作部材の取付構造は、図３（ａ）に示すように、固定孔１３ｃ，１３ｃ，１５ｃ，１５ｃのセットピン挿入側と反対側となる錠箱内面部に、揺動によって揺動先端４１ａを固定孔１３ｃ，１３ｃ，１５ｃ，１５ｃに進入させる揺動ピン４１が揺動軸４１ｂを介して回動自在に設けられている。また、連結板１９には、セットピン１７の固定孔１３ｃ，１３ｃ，１５ｃ，１５ｃへの進入と同時に、揺動ピン４１の揺動基端４１ｃに当接開始して揺動ピン４１を揺動させる押圧杆４３が設けられている。
【００３８】
したがって、セットピン１７が固定孔１３ｃ，１３ｃ，１５ｃ，１５ｃへ進入すると同時に、図３（ｂ）に示すように、押圧杆４３が揺動ピン４１の揺動基端４１ｃを押圧開始し、固定孔１３ｃ，１３ｃ，１５ｃ，１５ｃには、両側からセットピン１７と揺動ピン４１とが挿入されることになる。これにより、固定孔１３ｃ，１３ｃ，１５ｃ，１５ｃが両端から挿入される別々のピンによって固定され、一端側から挿入されるセットピン１７のみによる固定より高い固定強度を得、操作部材をより確実に固定することができる。
【００３９】
なお、上記した第１、第２の実施の形態に係る錠箱と操作部材の取付構造の構成は、以下の１〜４の変形例によって構成することができるものである。
［変形例１］
図４はセットピンが同一長さである変形例１の分解斜視図である。なお、以下の各変形例において、図１〜図３に示した部材と同一の部材には同一の符号を付し、重複する説明は省略するものとする。
この変形例１に係る錠箱と操作部材の取付構造は、連結板１９に固定されるシリンダー錠１３用のセットピン１７ａ，１７ａと、サムターン１５用のセットピン１７ａ，１７ａとが同一長さで形成されている。つまり、上記の実施の形態によるサムターン１５用のセットピン１７ｂ，１７ｂが、シリンダー錠１３用のものと略同一の長さのセットピン１７ａ，１７ａとなっている。他の構成は上記の実施の形態による取付構造と同様である。
したがって、この変形例１による錠箱と操作部材の取付構造によれば、セットピン１７の挿脱で同時にシリンダー錠１３及びサムターン１５が着脱でき、迅速な着脱作業を可能にすることができる。
【００４０】
［変形例２］
図５は挿抜ネジが省略された変形例２の分解斜視図である。
この変形例２に係る錠箱と操作部材の取付構造は、ブラケット２１、スリット孔３５及び挿抜ネジ２３が設けられていない。他の構成は、上記した第１の実施の形態による取付構造と同様である。この取付構造では、セットピン１７ａ，１７ａ、セットピン１７ｂ，１７ｂの挿入が、連結板１９をハンマー等の工具等も用いて叩く等の作業にて行われる。セットピン１７の挿入が完了した状態では、連結板１９が前壁２５ｃに平行に当接する。この連結板１９は、前壁２５ｃに取り付けられる不図示のフロント板によって脱落が規制されることとしてもよく、或いは、連結板１９を錠箱１１側に螺着などを行うことで取り付け固定とすることとしてもよい。
したがって、この変形例２による錠箱と操作部材の取付構造によれば、簡素な取付構造で、操作部材の取り付けを、容易な作業で、かつ短時間で行うことができる。
【００４１】
［変形例３］
図６は挿抜ネジが省略されかつセットピンが同一長さである変形例３の分解斜視図である。
この変形例３に係る錠箱と操作部材の取付構造は、上記変形例２の構成において、シリンダー錠１３に挿入される一対のセットピン１７ａ，１７ａと、サムターン１５に挿入される一対のセットピン１７ａ，１７ａとが、略同一長さとなっている。他の構成は変形例２と同一である。
したがって、この変形例３による錠箱と操作部材の取付構造によれば、シリンダー錠１３に挿入される一対のセットピン１７ａ，１７ａと、サムターン１５に挿入される一対のセットピン１７ａ，１７ａとを、端面と平行な一つの連結板１９によって連結したので、簡素な取付構造とすることができるのに加え、取付穴２７、２７シリンダー錠１３、サムターン１５を挿入し、錠箱１１の前壁２５ｃを貫通させて一つの連結板１９に設けられた二対のセットピン１７を挿入することで、当該セットピン１７をシリンダー錠１３及びサムターン１５の固定孔１３ｃ，１３ｃ，１５ｃ，１５ｃに一度に挿入してシリンダー錠１３及びサムターン１５を離脱不能に固定することができる。
【００４２】
［変形例４］
図７は挿抜ネジが省略されかつ連結板が２分割された変形例４の分解斜視図である。
この変形例４に係る錠箱と操作部材の取付構造は、シリンダー錠１３の固定孔１３ｃ，１３ｃに挿入される一対のセットピン１７ａ，１７ａと、サムターン１５の固定孔１５ｃ，１５ｃに挿入される一対のセットピン１７ａ，１７ａのそれぞれが、前壁２５ｃと平行な２つの連結板１９Ａ，１９Ａによって連結されている。
したがって、この変形例４による錠箱と操作部材の取付構造によれば、扉の室外面の取付穴２７から挿入したシリンダー錠１３に対し、扉の端面から錠箱１１の前壁２５ｃを貫通させて一対のセットピン１７ａ，１７ａを挿入することで、当該セットピン１７ａ，１７ａをシリンダー錠１３の固定孔１３ｃ，１３ｃに挿入してシリンダー錠１３を離脱不能に固定することができる。また、扉の室内面の取付穴２７から挿入したサムターン１５に対し、扉の端面から錠箱１１の前壁２５ｃを貫通させて一対のセットピン１７ａ，１７ａを挿入することで、当該セットピン１７ａ，１７ａをサムターン１５の固定孔１５ｃ，１５ｃに挿入してサムターン１５を離脱不能に固定することができる。したがって、従来、４本のセットピンを１本ずつそれぞれ挿入して行っていた操作部材の固定を、一度に複数本を同時挿入して、２回のピン挿入作業で完了させることができる。この結果、操作部材の取り付けを、容易な作業で、かつ短時間で行うことができる。また、シリンダー錠１３用のセットピン１７ａ，１７ａと、サムターン１５用のセットピン１７ａ，１７ａとが、２枚の連結板１９Ａ，１９Ａにそれぞれ独立して設けられるので、他の操作部材の固定を緩めることなく、所望とする片方の操作部材のみの脱着を可能にすることができる。
【図面の簡単な説明】
【００４３】
【図１】本発明に係る錠箱と操作部材の取付構造の第１の実施の形態を表す分解斜視図である。
【図２】図１に示した取付構造の作動状態を（ａ）（ｂ）で表した動作説明図である。
【図３】本発明に係る錠箱と操作部材の取付構造の第２の実施の形態を（ａ）（ｂ）の作動状態で表す動作説明図である。
【図４】セットピンが同一長さである変形例１の分解斜視図である。
【図５】挿抜ネジが省略された変形例２の分解斜視図である。
【図６】挿抜ネジが省略されかつセットピンが同一長さである変形例３の分解斜視図である。
【図７】挿抜ネジが省略されかつ連結板が２分割された変形例４の分解斜視図である。
【符号の説明】
【００４４】
１１…錠箱
１３…第１操作部材（シリンダー錠）
１３ｃ，１３ｃ，１５ｃ，１５ｃ…固定孔
１５…第２操作部材（サムターン）
１７ａ，１７ａ，１７ｂ，１７ｂ…セットピン
１９…連結板
２１…ブラケット
２３…挿抜ネジ
２３ａ…頭部
２３ｂ…ネジ部
２５ｃ…錠箱の端面（前壁）
２７…取付穴
４１…揺動ピン
４１ａ…揺動先端
４１ｃ…揺動基端
４３…押圧杆
【図１】
0004744967.tif 000002
【図２】
0004744967.tif 000003
【図３】
0004744967.tif 000004
【図４】
0004744967.tif 000005
【図５】
0004744967.tif 000006
【図６】
0004744967.tif 000007
【図７】
0004744967.tif 000008